(57)【要約】【解決手段】衣類Ｄのいずれかのボタンｄに係止させ得るボタン止め部材１と、このボタン止め部材１を衣類Ｄのいずれかのボタンｄに係止させたとき当該ボタンｄに対応する衣類Ｄのボタンホールｄ’に差し込み得る差込部材２と、前記ボタン止め部材１を衣類Ｄのいずれかのボタンｄ’に係止させたとき前記差込部材２を介して前記ボタンホールｄ’の外側に位置させ得る装飾部材３とを有するものとする。【効果】衣類Ｄのいずれかのボタンｄに対応するボタンホールｄ’の外側からボタン止め部材１を当該ボタンホールｄ’に差し込んで前記ボタンｄにボタン止め部材１を係止するとともに、差込部材２を前記ボタンホールｄ’に位置させることにより、衣類Ｄの外側に装飾部材３を位置させることができる。チェンなどの連接体を必要としない極めて簡易なものである。比較的安価に製造することができる。【選択図】図１
2013146415.tif 000002
【特許請求の範囲】
【請求項１】
衣類のいずれかのボタンに係止させ得るボタン止め部材と、このボタン止め部材を衣類のいずれかのボタンに係止させたとき当該ボタンに対応する衣類のボタンホールに差し込み得る差込部材と、前記ボタン止め部材を衣類のいずれかのボタンに係止させたとき前記差込部材を介して前記ボタンホールの外側に位置させ得る装飾部材とを有することを特徴とするボタン用アクセサリー。
【請求項２】
装飾部材に取付軸が備えられ、この取付軸を差込部材とボタン止め部材を貫通してボタン止め部材の裏側に突出させ、その部分において鳩目金具をカシメて、ボタン止め部材と差込部材と装飾部材を一体的ならしめたことを特徴とする請求項１記載のボタン用アクセサリー。
【請求項３】
装飾部材がヒンジで差込部材に結合されており、前記ヒンジを中心として装飾部材を差込部材に対して回動させ得るようにしたことを特徴とする請求項１記載のボタン用アクセサリー。
【請求項４】
ボタン止め部材のボタン係止用の溝の奥側に、ボタン止め部材がボタン糸から外れにくくするための段部を形成したことを特徴とする請求項１記載のボタン用アクセサリー。
【請求項５】
ボタン止め部材をシリコーン製とし、シリコーン製のボタン止め部材にボタン係止用の溝を形成したことを特徴とする請求項１記載のボタン用アクセサリー。
【発明の詳細な説明】
【技術分野】
【０００１】
本発明は、ワイシャツ、ブラウス、ポロシャツなどボタンを有する衣類に使用し得るアクセサリーに関するものである。
【背景技術】
【０００２】
クールビズやスーパークールビズなどでネクタイを着用しない傾向にある昨今、ビジネスシーンやその他の機会にワイシャツ、ブラウス、ポロシャツなどボタンを有する衣類のボタンをボタンホールから外すことが多いが、襟元が開き過ぎるとだらしなく見える場合がある。また、中には、ネクタイを着用しないでボタンを開けることを気にする人もいる様である。
【０００３】
このような場合において、ボタンを有する衣類のボタンホールにアクセサリーを取り付けることができるようにすれば、上記欠点を軽減することができるだけでなく、胸元、襟元のドレスアップにもつながる。
【０００４】
このようなアクセサリーに相当するものとして、装飾部とボタン止めとを連接体によって連接する装飾体よりなり、該ボタン止めによってシャツのボタンに係止すると共に該装飾部をボタン穴から外部に表出して装着する装飾体であって、該装飾体にはリング部材を有するものが提案されている（例えば、特許文献１）。
【先行技術文献】
【特許文献】
【０００５】
【特許文献１】特開２００７−１９５６２０号公報
【０００６】
この装飾体によれば、装飾部を外部に表出して装着できると共にリング部材によってボタン穴に挟み込むことができるので、装飾的価値の高い装飾体を装着できると共に、簡単に装着でき、ボタン穴外部にきっちりと装飾部を位置させることができる。
【発明の概要】
【発明が解決しようとする課題】
【０００７】
この装飾体は上述したように優れた効果を奏するが、チェンなどの連接体が必要であって構成部品がそれだけ多くなるのみならず、利用者の急な動きや引っ張りなどにより、連接体またはボタンがちぎれてしまうという欠点がある。
そこで、チェンなどの連接体を必要としない簡易なものとすることができれば、上記欠点を解消することができる。
本発明の目的は、この要望に応えることができるボタン用アクセサリーを提供することである。
【課題を解決するための手段】
【０００８】
この目的を達成するため、本発明では、衣類のいずれかのボタンに係止させ得るボタン止め部材と、このボタン止め部材を衣類のいずれかのボタンに係止させたとき当該ボタンに対応する衣類のボタンホールに差し込み得る差込部材と、前記ボタン止め部材を衣類のいずれかのボタンに係止させたとき前記差込部材を介して前記ボタンホールの外側に位置させ得る装飾部材とを有するものとする。
【０００９】
このボタン用アクセサリーは、衣類のいずれかのボタンに対応するボタンホールの外側からボタン止め部材を当該ボタンホールに差し込んで前記ボタンにボタン止め部材を係止するとともに、差込部材を前記ボタンホールに位置させることにより、衣類の外側に装飾部材を位置させることができる。
【００１０】
このボタン用アクセサリーは、チェンなどの連接体を必要としない極めて簡易なものである。比較的安価に製造することができる。また、このボタン用アクセサリーを用いた場合には、襟元が開き過ぎるのを軽減することができ、装飾部材により服装をおしゃれに演出することができる。
【００１１】
装飾部材に取付軸が備えられ、この取付軸を差込部材とボタン止め部材を貫通してボタン止め部材の裏側に突出させ、その部分において鳩目金具をカシメて、ボタン止め部材と差込部材と装飾部材とを一体的ならしめると良い。このようにした場合には、金槌などで鳩目金具に力を加えることにより、ボタン止め部材と差込部材と装飾部材とを極めて簡単かつ強固に結合して一体的ならしめることができる。
【００１２】
装飾部材がヒンジで差込部材に結合されており、前記ヒンジを中心として装飾部材を差込部材に対して回動させ得るようにしておくと良い。このようにした場合には、ヒンジにより装飾部材を開閉することができる。したがって、装飾部材を開いたまま衣類のいずれかのボタンに対応するボタンホールの外側からボタン止め部材を当該ボタンホールに差し込んで前記ボタンにボタン止め部材を係止するとともに、差込部材を前記ボタンホールに位置させ、しかる後、装飾部材を閉じることでボタン用アクセサリーを衣類に簡単に装着することができる。
【００１３】
ボタン止め部材のボタン係止用の溝の奥側に、ボタン止め部材がボタン糸から外れにくくするための段部を形成しておくことが好ましい。ボタン止め部材のボタン係止用の溝の奥側に段部が形成されていると、衣類のいずれかのボタンに対応するボタンホールの外側からボタン止め部材を当該ボタンホールに差し込んで前記ボタンにボタン止め部材を係止した場合において、ボタン止め部材のボタン係止用の溝内に位置するボタン糸が前記段部に引っ掛かり、ボタン係止用の溝からボタン糸が外れてボタン止め部材がボタンから離脱するのを防止することができる。
【００１４】
ボタン止め部材をシリコーン製とし、シリコーン製のボタン止め部材にボタン係止用の溝を形成しておくと良い。このようにした場合には、シリコーン製の比較的軟らかいボタン止め部材のボタン係止用の溝からボタンを差し込むだけで、ボタン係止用の溝にボタン糸を容易に位置させることができるので、前記ボタンにボタン止め部材を簡単に装着することができる。
また、ボタン止め部材がシリコーン製であるため、ボタン止め部材が金属製の場合に比べてより安価かつ使用したときにも安全であり、カジュアル感も増す。
【発明の効果】
【００１５】
請求項１記載のボタン用アクセサリーは、チェンなどの連接体を必要としない極めて簡易なものである。比較的安価に製造できる。また、請求項１記載のボタン用アクセサリーを用いた場合には、襟元が開き過ぎるのを軽減することができ、装飾部材により服装をおしゃれに演出することができる。
【００１６】
請求項２記載のボタン用アクセサリーによれば、金槌などで鳩目金具に力を加えることにより、ボタン止め部材と差込部材と装飾部材とを極めて簡単かつ強固に結合して一体的ならしめることができる。
【００１７】
請求項３記載のボタン用アクセサリーによれば、ヒンジにより装飾部材を開閉することができる。したがって、装飾部材を開いたまま衣類のいずれかのボタンに対応するボタンホールの外側からボタン止め部材を当該ボタンホールに差し込んで前記ボタンにボタン止め部材を係止するとともに、差込部材を前記ボタンホールに位置させ、しかる後、装飾部材を閉じることでボタン用アクセサリーを衣類に簡単に装着することができる。
【００１８】
請求項４記載のボタン用アクセサリーによれば、衣類のいずれかのボタンに対応するボタンホールの外側からボタン止め部材を当該ボタンホールに差し込んで前記ボタンにボタン止め部材を係止した場合において、ボタン止め部材のボタン係止用の溝内に位置するボタン糸が前記段部に引っ掛かり、ボタン係止用の溝からボタン糸が外れてボタン止め部材がボタンから離脱するのを防止することができる。
【００１９】
請求項５記載のボタン用アクセサリーによれば、シリコーン製の比較的軟らかいボタン止め部材のボタン係止用の溝からボタンを差し込むだけで、ボタン係止用の溝にボタン糸を容易に位置させることができるので、前記ボタンにボタン止め部材を簡単に装着することができる。また、ボタン止め部材がシリコーン製であるため、ボタン止め部材が金属製の場合に比べてより安価かつ使用したときにも安全であり、カジュアル感も増す。
【図面の簡単な説明】
【００２０】
【図１】装飾部材に取付軸が備えられ、この取付軸を差込部材とボタン止め部材を貫通してボタン止め部材の裏側に突出させ、その部分において鳩目金具をカシメて、ボタン止め部材と差込部材と装飾部材とを一体的ならしめた、本発明によるボタン用アクセサリーの一例を示す概略図で、(a)は斜視図、(b)は平面図、(c)は正面図、(d)は底面図、(e)はボタン止め部材と差込部材と装飾部材の結合状態の一例を示す一部切欠の拡大図である。
【図２】図１に示すボタン用アクセサリーの使用状態の一例を示す概略図である。
【図３】図２の一部を拡大して示す斜視図である。
【図４】装飾部材がヒンジで差込部材に結合されており、ヒンジを中心として装飾部材を差込部材に対して回動させ得るようにした、本発明によるボタン用アクセサリーの別の例を示す概略図で、(a)は斜視図、(b)は平面図、(c)は正面図、(d)は底面図、(e)はヒンジを中心として装飾部材を差込部材に対して回動させて開いた状態を示す正面図である。
【図５】図４に示すボタン用アクセサリーの使用状態の一例を示す概略図である。
【図６】図４の一部を拡大して示す正面図である。
【図７】ボタン止め部材がシリコーン製であって、装飾部材に取付軸が備えられ、この取付軸を差込部材と固定部材を貫通してその裏側に突出させ、その部分において鳩目金具をカシメて、シリコーン製のボタン止め部材に差込部材と装飾部材を装着した、本発明によるボタン用アクセサリーのさらに別の例を示す概略図で、(a)は斜視図、(b)は平面図、(c)は正面図、(d)は底面図、(e)はシリコーン製のボタン止め部材に差込部材と装飾部材を装着した場合の一例を示す中央拡大断面図である。
【図８】図７に示すボタン用アクセサリーの使用状態の一例を示す概略図である。
【図９】図８の一部を拡大して示す正面図である。
【発明を実施するための形態】
【００２１】
本発明によるボタン用アクセサリーのそれぞれの実施形態を、図面に基づいて詳細に説明する。
【００２２】
ここに例示するボタン用アクセサリーは、いずれも、ワイシャツ、ブラウス、ポロシャツなどボタンを有する衣類Ｄのいずれかのボタンｄに係止させ得るボタン止め部材１と、このボタン止め部材１を衣類Ｄのいずれかのボタンｄに係止させたとき当該ボタンｄに対応する衣類Ｅのボタンホールｄ’に差し込み得る差込部材２と、前記ボタン止め部材１を衣類Ｄのいずれかのボタンｄに係止させたとき前記差込部材２を介して前記ボタンホールｄ’の外側に位置させ得る装飾部材３とを有している。
なお、同じ機能を有する部材については、形状や材質が異なる場合においても、また、当該部材の各部分の機能が同じ場合には、以下の説明では同じ図面符号を用いることとする。
【００２３】
図１に、装飾部材３に取付軸３ａが備えられ、この取付軸３ａを差込部材２とボタン止め部材１を貫通してボタン止め部材１の裏側に突出させ（図２(e)参照）、その部分において鳩目金具４をカシメて、ボタン止め部材１と差込部材２と装飾部材３とを一体的ならしめた、Ａタイプのボタン用アクセサリーの一例を示す。このボタン用アクセサリーＡによれば、金槌などで鳩目金具４に力を加えることにより、ボタン止め部材１と差込部材２と装飾部材３とを極めて簡単かつ強固に結合して一体的ならしめることができる。
【００２４】
また、図４に、装飾部材３がヒンジ３ｂで差込部材２に結合されており、ヒンジ３ｂを中心として装飾部材３を差込部材２に対して回動させ得るようにした、Ｂタイプのボタン用アクセサリーの一例を示す。このボタン用アクセサリーＢによれば、ヒンジ３ｂにより装飾部材３を開閉することができる。したがって、図４(e)に示すように、装飾部材３を開いたまま衣類Ｄのいずれかのボタンｄに対応するボタンホールｄ’の外側からボタン止め部材１を当該ボタンホールｄ’に差し込んで前記ボタンｄにボタン止め部材１を係止するとともに、差込部材２を前記ボタンホールｄ’に位置させ、しかる後、図４(e)の状態から図４(c)に示すように装飾部材３を閉じることで、ボタン用アクセサリーＢを衣類Ｄに簡単に装着することができる。
【００２５】
Ａ，Ｂ両タイプのボタン用アクセサリーにおいては、いずれのボタン止め部材１にも、ボタン糸ｅ”差込用の切欠１ａが形成されており、その奥をこの切欠１ａに続く溝１ｂとしてある。したがって、衣類Ｄへの取り付け方を説明すると、図２、図３および図５、図６に示すように、衣類Ｄのいずれかのボタンｄに対応するボタンホールｄ’の外側からボタン止め部材１を当該ボタンホールｄ’に差し込み、しかる後、ボタン止め部材１の切欠１ａを経てその奥に位置する溝１ｂにボタン糸ｄ”を誘導してボタン止め部材１を前記ボタンｄに係止するとともに、差込部材２を前記ボタンホールｄ’に位置させることにより、衣類Ｄの外側に装飾部材３を位置させることができる。
【００２６】
なお、前記切欠１ａの大きさについては、Ａ，Ｂタイプのボタン用アクセサリーの場合のように、溝１ｂの長さに対して小さな切欠１ａとしても良いし、図示はしないがそれよりも大きくなるような切欠１ａとしても良い。また、図示はしないが、装飾部材３側に大きな入口が形成されるごとく切欠１ａを形成し、その奥にこの切欠１ａに続く溝１ｂができるようにしても良い。
【００２７】
さらに、Ａ，Ｂ両タイプのボタン用アクセサリーにおいては、ボタン止め部材１のボタン係止用の溝１ｂの奥側に、ボタン止め部材１がボタン糸ｄ”から外れにくくするための段部１ｃがいずれも形成されている。ボタン止め部材１のボタン係止用の溝１ｂの奥側に段部１ｃが形成されていると、衣類Ｄのいずれかのボタンｄに対応するボタンホールｄ’の外側からボタン止め部材１を当該ボタンホールｄ’に差し込んで前記ボタンｄにボタン止め部材１を係止した場合において、ボタン止め部材１のボタン係止用の溝１ｂ内に位置するボタン糸ｄ”が前記段部１ｃに引っ掛かり、ボタン係止用の溝１ｂからボタン糸ｄ”が外れてボタン止め部材１がボタンｄから離脱するのを防止することができる。
【００２８】
Ａ，Ｂ両タイプのボタン用アクセサリーは、いずれも、チェンなどの連接体を必要としない極めて簡易なものである。比較的安価に製造することができる。
Ａ，Ｂ両タイプのボタン用アクセサリーを用いた場合には、いずれの場合も、襟元が開き過ぎるのを軽減することができ、装飾部材３により服装をおしゃれに演出することができる。
【００２９】
図１〜図３に示すＡタイプのボタン用アクセサリーにおいては、装飾部材３を比較的簡単な装飾加工を施した十字架とした場合が例示されているが、ハート形、スワロデザイン、スワロデザインの丸形など様々なデザインの装飾体とすることができる。装飾部材３と差込部材２をステンレスその他の腐食しにくい金属製とし、高級感を出すためにその部分に金や銀などのメッキ加工、ペイント加工を施せば、豪華なアクセサリーとなる。
さらに、装飾部材３として装飾価値の高いものを用いれば、この装飾部材３により服装をより豪華に演出することができるだけでなく、胸元のドレスアップにも貢献する。
【００３０】
図４〜図６に示すＢタイプのボタン用アクセサリーにおいては、装飾部材３のところにダイヤなどからなる装飾体５が複数個ちりばめてあり、より装飾価値の高いものとしてある。装飾体を石以外のものとすることもできる。なお、Ｂタイプのボタン用アクセサリーにおいては、ヒンジ３ｂさえ備えられておれば、装飾部材３をどのような形状のものにも変更可能である。
【００３１】
Ａ，Ｂ両タイプのボタン用アクセサリーにおいては、ボタン止め部材１を通常の金属製とすることができる。これに対して、ボタン止め部材１をシリコーン製とすることもできる。図７〜図９に、ボタン止め部材１をシリコーン製としたボタン用アクセサリーの一例を示す。このＣタイプのボタン用アクセサリーにあっては、シリコーン製のボタン止め部材１にボタン係止用の溝１ｂが形成されている。したがって、シリコーン製のボタン止め部材１のボタン係止用の溝１ｂからボタンｄを差し込むだけで、ボタン係止用の溝１ｂにボタン糸ｄ”を容易に位置させることができるので、図８、図９に示すように、前記ボタンｄにボタン止め部材１を簡単に装着することができる。
【００３２】
Ａタイプのボタン用アクセサリーにあっては、装飾部材３に備えられた取付軸３ａの周囲を囲むとともに、ボタン止め部材１と装飾部材３との間に所定の間隔を保たせるための部材を兼ねた間隔保持具２ａを差込部材２としてある。また、Ｂタイプのボタン用アクセサリーにあっては、ボタン止め部材１から立ち上げられ、ヒンジ３ｂの直下に位置する部分をそのまま差込部材２としてある。
いずれの場合においても、それぞれの差込部材２を前記ボタンホールｄ’に位置させることにより、衣類Ｄの外側に装飾部材３を位置させることができる。
【００３３】
また、Ｃタイプのボタン用アクセサリーにおいては、図７(e)に示すように、金属製の固定部材６に所定の大きさの孔６ａを形成しておき、この孔６ａを含む固定部材６の周囲を覆うごとくシリコーンを流し込む成形方法により、前記固定部材６とシリコーン製のボタン止め部材１とを一体的ならしめてある。
そして、図１に示すＡタイプのボタン用アクセサリーの場合と同様に、装飾部材３に取付軸３ａが備えられ、この取付軸３ａを差込部材２と固定部材６を貫通してその裏側に突出させ（図７(e)参照）、その部分において鳩目金具４をカシメて、固定部材６に差込部材２と装飾部材３とを一体的ならしめることにより、固定部材６を介してシリコーン製のボタン止め部材１に差込部材２と装飾部材３を装着してある。このボタン用アクセサリーＣによれば、金槌などで鳩目金具４に力を加えることにより、シリコーン製のボタン止め部材１に差込部材２と装飾部材３を極めて簡単かつ強固に装着することができる。
【００３４】
したがって、Ｃタイプのボタン用アクセサリーにおいても、装飾部材３に備えられた取付軸３ａの周囲を囲むとともに、固定部材６と装飾部材３との間に所定の間隔を保たせるための部材を兼ねた間隔保持具２ａを差込部材２としてある。この場合においても、差込部材２を前記ボタンホールｄ’に位置させることにより、衣類Ｄの外側に装飾部材３を位置させることができる。
【００３５】
このＣタイプのボタン用アクセサリーによれば、シリコーン製の比較的軟らかいボタン止め部材１のボタン係止用の溝１ｂからボタンを差し込むだけで、ボタン係止用の溝１ｂにボタン糸ｄ”を容易に位置させることができるので、前記ボタンｄにボタン止め部材１を簡単に装着することができる。また、ボタン止め部材１がシリコーン製であるため、ボタン止め部材１が金属製の場合に比べてより安価かつ使用したときにも安全であり、カジュアル感も増す。
【００３６】
Ａタイプのボタン用アクセサリーにおいては、ボタン止め部材１に装飾部材３を一体化するに当って図１に示すように鳩目金具４を、また、Ｃタイプのボタン用アクセサリーにおいても、固定部材６に装飾部材３を一体化するに当って図７に示すように鳩目金具４をそれぞれ用いているが、他の方法で、例えば雄ねじ・雌ねじを用いて、あるいは、溶接によって、また、接着剤を用いて一体化することもできる。
【００３７】
装飾部材３として異なるデザインのものを用意しておけば、利用者の好み、あるいはＴ．Ｐ．Ｏでボタン用アクセサリーを使い分けることができる。また、本ボタン用アクセサリーは、主として、ボタン止め部材１を衣類Ｄのボタンｄのいずれかに係止するとともに、差込部材２を当該ボタンｄに対応するボタンホールｄ’に差し込むほか、衣類Ｄの袖口部分に使用すれば、カフスボタンの代わりとして利用できる。
さらに、衣類Ｄの襟元にある１つ目（一番上）のボタンｄに係止するとともに、前記差込部材２を１つ目（一番上）のボタンホールｄ’に差し込めば、サイズの小さくなった衣類Ｄの襟元のサイズを多少大きく見せる場合にも使用することができる。
【００３８】
一方、図１、図４および図７に示す場合と正反対の向きとなるように左右逆のものとすれば、女性用のボタン用アクセサリーとして利用できる。
【符号の説明】
【００３９】
１…ボタン止め部材、２…差込部材、３…装飾部材、３ａ…取付軸、３ｂ…ヒンジ、４…鳩目金具、Ａ，Ｂ，Ｃ…ボタン用アクセサリー、Ｄ…衣類、ｄ…ボタン、ｄ’…ボタンホール。
【図１】
2013146415.tif 000003
【図２】
2013146415.tif 000004
【図３】
2013146415.tif 000005
【図４】
2013146415.tif 000006
【図５】
2013146415.tif 000007
【図６】
2013146415.tif 000008
【図７】
2013146415.tif 000009
【図８】
2013146415.tif 000010
【図９】
2013146415.tif 000011